(57)【要約】【課題】印刷物を含む画像からユーザーが選択した参照画像に基づいてメイクアップを支援するものでありながら、携帯性に優れて持ち運び易いメイクアップ補助具を提供する。【解決手段】参照画像１０に基づいてメイクアップを支援するメイクアップ補助具１００であって、参照画像１０とユーザーの画像とを同時に表示可能なスクリーン部２０と、参照画像１０が配置されている参照画像提示位置とスクリーン部２０との光学的な距離を設定する距離設定部３０とを備え、参照画像１０の面積をＳ１とし、スクリーン部２０の面積をＳ２としたとき、  ０．１  ≦  Ｓ２／Ｓ１  ≦  ５．０  を満たし、参照画像提示位置とスクリーン部２０との光学的な距離をＤとしたとき、  ０．１  ≦  Ｄ２／Ｓ１  ≦２０  を満たす。【選択図】図１
2017221364.tif 000002
【特許請求の範囲】
【請求項１】
参照画像に基づいてメイクアップを支援するメイクアップ補助具であって、
前記参照画像とユーザーの画像とを同時に表示可能なスクリーン部と、
前記参照画像が配置されている参照画像提示位置と前記スクリーン部との光学的な距離を設定する距離設定部とを備え、
前記参照画像の面積をＳ１とし、前記スクリーン部の面積をＳ２としたとき、
０．１  ≦  Ｓ２／Ｓ１  ≦  ５．０  を満たし、
前記参照画像提示位置と前記スクリーン部との光学的な距離をＤとしたとき、
０．１  ≦  Ｄ２／Ｓ１  ≦２０  を満たすメイクアップ補助具。
【請求項２】
前記参照画像の面積Ｓ１は、３０〜６００ｃｍ２である請求項１に記載のメイクアップ補助具。
【請求項３】
前記参照画像提示位置と前記スクリーン部との光学的な距離Ｄは、１０〜１８ｃｍである請求項１又は２に記載のメイクアップ補助具。
【請求項４】
前記距離設定部は、前記参照画像と前記スクリーン部とを対向させた状態で離間させる離間部材である請求項１〜３の何れか一項に記載のメイクアップ補助具。
【請求項５】
前記スクリーン部は、少なくとも一部がハーフミラーで構成されている請求項１〜４の何れか一項に記載のメイクアップ補助具。
【請求項６】
前記参照画像は情報表示機器に表示されるものであり、前記距離設定部は当該情報表示機器に対する取付部を有する請求項１〜５の何れか一項に記載のメイクアップ補助具。
【発明の詳細な説明】
【技術分野】
【０００１】
本発明は、ユーザーが選択した参照画像に基づいてメイクアップを支援するメイクアップ補助具に関する。
【背景技術】
【０００２】
メイクは流行性に富むため、メイクアップのバリエーションは、豊富で複雑なものとなっている。これに伴い、ユーザーがメイクアップの見本とする見本画像（本発明の参照画像に相当）に近づけるようなメイクアップを補助する装置として、ユーザーを映し出すミラーの機能と、メイクアップの見本画像を表示するディスプレイ装置の機能とを有するミラーディスプレイ装置が従来から提案されている（例えば、特許文献１を参照）。
【０００３】
特許文献１のミラーディスプレイ装置は、画像を画面に表示する表示部と、画面を覆う状態で設けられたハーフミラーと、ハーフミラーを反射面とし使用者がハーフミラー背後に投影されるところまでの間隔と、使用者が画像を視認するところまでの視認距離とを均等にする均等化手段とを備えるものである。
【先行技術文献】
【特許文献】
【０００４】
【特許文献１】特開２０１４−５２５１２号公報
【発明の概要】
【発明が解決しようとする課題】
【０００５】
ミラーディスプレイ装置は、ユーザー自身の画像と見本画像（参照画像）とを重ね合わせて表示することにより、ユーザーが見本画像を参照しつつメイクアップをするものである。特許文献１のミラーディスプレイ装置においては、見本画像を画面に表示する表示部又はハーフミラーが移動されることにより、表示部及びハーフミラーとユーザーとの間隔が自動調整される。この装置は、夫々の間隔の距離情報を測定し算出する距離測定部や、表示部やハーフミラーを移動させる駆動部等を含むものであり、複雑で大掛かりな構造となる。そのため、ユーザーがミラーディスプレイ装置を携帯して持ち運び難いという問題がある。また、特許文献１のミラーディスプレイ装置において使用される見本画像は、あらかじめ記憶部に保存された画像から選択されるため、ユーザーがメイクアップの見本としたい画像が紙などに印刷された写真等である場合には利用できないか、又は紙などに印刷された画像を電子化して記憶部に保存する必要がある。このように、従来のミラーディスプレイ装置では、持ち運び難く、ユーザーが選択した印刷物等の見本画像を直ぐに利用できない点で改善の余地があった。
【０００６】
本発明は、上記問題点に鑑みてなされたものであり、印刷物を含む画像からユーザーが選択した参照画像に基づいてメイクアップを支援するものでありながら、携帯性に優れて持ち運び易いメイクアップ補助具を提供することを目的とする。
【課題を解決するための手段】
【０００７】
上記課題を解決するための本発明に係るメイクアップ補助具の特徴構成は、
参照画像に基づいてメイクアップを支援するメイクアップ補助具であって、
前記参照画像とユーザーの画像とを同時に表示可能なスクリーン部と、
前記参照画像が配置されている参照画像提示位置と前記スクリーン部との光学的な距離を設定する距離設定部とを備え、
前記参照画像の面積をＳ１とし、前記スクリーン部の面積をＳ２としたとき、
０．１  ≦  Ｓ２／Ｓ１  ≦  ５．０  を満たし、
前記参照画像提示位置と前記スクリーン部との光学的な距離をＤとしたとき、
０．１  ≦  Ｄ２／Ｓ１  ≦２０  を満たすことにある。
【０００８】
本構成のメイクアップ補助具によれば、スクリーン部は参照画像とユーザーの画像とを同時に表示し、距離設定部は参照画像が配置されている参照画像提示位置とスクリーン部との光学的な距離を設定する。スクリーン部に表示された参照画像と、ユーザー自身の画像とを明確に視認できるようにユーザーが位置を合わせると、自然とユーザーの目の位置からスクリーン部に表示されたユーザー自身の画像までの距離が参照画像提示位置とスクリーン部との光学的な距離Ｄに略一致することになる。また、参照画像の面積Ｓ１とスクリーン部の面積Ｓ２との比は、０．１  ≦  Ｓ２／Ｓ１  ≦  ５．０  を満たすように設定されている。ここで、参照画像提示位置とスクリーン部との光学的な距離Ｄは、参照画像の面積Ｓ１に対して、０．１  ≦  Ｄ２／Ｓ１  ≦２０  を満たすように設定されているため、参照画像のうち参照したい範囲をスクリーン部に映し出しながら、スクリーン部に表示された参照画像及びユーザー自身の画像は、夫々が適切なサイズ、すなわちユーザーが視認しながらメイクアップし易い大きさに表示される。従って、ユーザーは参照画像を参照しながら容易にメイクアップをすることができる。
【０００９】
本発明に係るメイクアップ補助具において、
前記参照画像の面積Ｓ１は、３０〜６００ｃｍ２であることが好ましい。
【００１０】
本構成のメイクアップ補助具によれば、参照画像の面積Ｓ１が３０〜６００ｃｍ２に設定されているため、印刷物だけでなく、持ち歩きが可能な携帯電話やスマートフォン、タブレット等の情報表示機器の表示部に表示される画像も、参照画像として用いることができる。また、参照画像の面積Ｓ１が上記の数値範囲であるため、スクリーン部の面積Ｓ２及び参照画像提示位置とスクリーン部との光学的な距離Ｄが一定の範囲に収まり、メイクアップ補助具は携帯可能なサイズとなる。
【００１１】
本発明に係るメイクアップ補助具において、
前記参照画像提示位置と前記スクリーン部との光学的な距離Ｄは、１０〜１８ｃｍであることが好ましい。
【００１２】
本構成のメイクアップ補助具によれば、参照画像提示位置とスクリーン部との光学的な距離Ｄが１０〜１８ｃｍに設定されているため、スクリーン部に表示された参照画像と、ユーザー自身の画像とを明確に視認できるようにユーザーが位置を合わせると、自然とユーザーの目の位置からスクリーン部に表示されたユーザー自身の画像までの距離が１０〜１８ｃｍになる。この距離は、ユーザーが自身の画像を確認し易く、かつメイクアップし易い距離であるため、メイクアップを美しく仕上げることができる。
【００１３】
本発明に係るメイクアップ補助具において、
前記距離設定部は、前記参照画像と前記スクリーン部とを対向させた状態で離間させる離間部材であることが好ましい。
【００１４】
本構成のメイクアップ補助具によれば、離間部材により参照画像とスクリーン部とを対向させた状態で離間させて両者間の距離を一定に設定できるため、参照画像が歪むことなくスクリーン部に表示される。このため、ユーザーは参照画像からメイクアップのための情報を的確に享受できる。
【００１５】
本発明に係るメイクアップ補助具において、
前記スクリーン部は、少なくとも一部がハーフミラーで構成されていることが好ましい。
【００１６】
本構成のメイクアップ補助具によれば、スクリーン部の少なくとも一部がハーフミラーで構成されているため、ハーフミラーに参照画像が映し出されたところに、ユーザー自身の画像を重ねることができる。ユーザーは、重ね合わせて表示された参照画像及びユーザーの画像を見ながら、正確にメイクアップをすることができる。
【００１７】
本発明に係るメイクアップ補助具において、
前記参照画像は情報表示機器に表示されるものであり、前記距離設定部は当該情報表示機器に対する取付部を有することが好ましい。
【００１８】
本構成のメイクアップ補助具によれば、参照画像は持ち歩き可能な携帯電話やスマートフォン、タブレット等の情報表示機器に表示されるものである。そして、本構成のメイクアップ補助具は情報表示機器に対する取付部を有するため、情報表示機器から取り外し可能である。このため、ユーザーは、通常は情報表示機器からメイクアップ補助具を取り外してコンパクトに収納し、必要に応じて情報表示機器にメイクアップ補助具を取り付けてメイクアップをすることが可能となる。従って、ユーザーは、旅行先や外出先などで気軽にメイクアップをすることができる。
【図面の簡単な説明】
【００１９】
【図１】図１は、本発明に係るメイクアップ補助具の説明図である。
【図２】図２は、スクリーン部の説明図である。
【図３】図３は、本発明に係るメイクアップ補助具の使用状態の説明図である。
【図４】図４は、本発明に係るメイクアップ補助具の使用方法の説明図である。
【図５】図５は、別実施形態（１）に係るメイクアップ補助具の説明図である。
【図６】図６は、別実施形態（２）に係るメイクアップ補助具の説明図である。
【図７】図７は、別実施形態（３）に係るメイクアップ補助具の使用例の説明図である。
【発明を実施するための形態】
【００２０】
以下、本発明に係るメイクアップ補助具に関する実施形態について、図面を参照して説明する。なお、本発明は、以下に説明する実施形態や図面に記載される構成に限定されることを意図しない。
【００２１】
＜メイクアップ補助具＞
図１は、本発明に係るメイクアップ補助具１００の説明図である。メイクアップ補助具１００は、ユーザーが選択した参照画像１０に基づいてメイクアップを支援する補助具である。図１に示すように、メイクアップ補助具１００は、スクリーン部２０、及び距離設定部３０を備える。以下、本発明に係るメイクアップ補助具１００が備える各部材について説明する。なお説明の便宜上、初めに参照画像１０について説明し、その後各部材について説明する。
【００２２】
［参照画像］
参照画像１０は、メイクアップをする上で、ユーザーが参照するために選択される画像である。すなわち、参照画像１０は、ユーザーが目標とする理想のメイクアップされた顔の画像である。図１に示すように、参照画像１０は、情報表示機器１１に表示されるものであることが好ましい。情報表示機器１１としては、例えば、携帯電話、スマートフォン、タブレット、パーソナルコンピューター等が挙げられる。参照画像１０は、情報表示機器１１の表示部１２の少なくとも一部に表示されている。参照画像１０の面積Ｓ１は、３０〜６００ｃｍ２であることが好ましい。これにより、持ち歩きが可能な携帯電話やスマートフォン、タブレット等の情報表示機器１１の表示部１２に表示される画像も、参照画像１０として用いることができる。
【００２３】
参照画像１０は、顔の全体が写っているものが好ましいが、少なくともユーザーがメイクを参照したい部分が写っていればよい。参照画像１０は、顔が正面前向きに写っているものが好ましいが、横向きなど正面前向きではない画像であってもよい。参照画像１０は、カラーであることが好ましいが、モノクロ、セピアカラーなどであってもよい。参照画像１０は、情報表示機器１１に内蔵されるメモリ内のデータ、情報表示機器１１がアクセス可能な外部データベース、またはネットワーク上のクラウドデータなどから選択可能である。あるいは、情報表示機器１１に内蔵されているデジタルカメラで撮影した画像をそのまま参照画像１０として利用することも可能である。
【００２４】
［スクリーン部］
図２は、スクリーン部２０の説明図である。図２（ａ）は、メイクアップ補助具１００の正面図、図２（ｂ）は、情報表示機器１１の正面図、図２（ｃ）は、メイクアップ補助具１００を装着した情報表示機器１１の正面図を夫々示す。
【００２５】
スクリーン部２０は、平板状の部材であり、参照画像１０とユーザーの画像とを同時に表示可能に構成されている。スクリーン部２０としては、例えば、入射光を所定の割合で分割するビームスプリッターやハーフミラーが挙げられる。スクリーン部２０は、少なくとも一部がハーフミラーで構成されているものが好ましい。ハーフミラーとしては、入射光の一部を透過し、その他の部分を反射するものであって、必ずしも入射光の半分を透過するものに限らない。また、ハーフミラーとしては、汎用されているハーフミラーだけでなく、入射光の一部を透過し、その他の部分を反射する機能を有するものであればよく、例えば、入射光の一部を反射するシートをガラスや樹脂などの平板に張り合わせたものであってもよい。スクリーン部２０の少なくとも一部がハーフミラーで構成されることにより、ハーフミラーに参照画像１０が映し出されたところに、ユーザー自身の鏡像である画像を重ねることができる。図２（ａ）に示すように、スクリーン部２０の全体がハーフミラーで構成されているものがより好ましい。図２（ｂ）に示すように、参照画像１０は、情報表示機器１１の表示部１２の少なくとも一部の領域に表示されている。スクリーン部２０の面積Ｓ２は、情報表示機器１１の表示部１２に表示されている参照画像１０の面積Ｓ１より大きくなるように設定されている。情報表示機器１１にメイクアップ補助具１００を装着すると、図２（ｃ）に示すように、正面視でスクリーン部２０が参照画像１０の全面を覆う。これにより、参照画像１０の領域全体をスクリーン部２０に映し出すことができる。従って、スクリーン部２０に重ね合わせて表示された参照画像１０及びユーザーの画像（鏡像）を見ながら、ユーザーは正確にメイクアップをすることができる。なお、参照画像１０は表示部１２の一部の領域に表示されているが、表示部１２の全部の領域に表示されていてもよい。
【００２６】
メイクアップ補助具１００を用いてユーザーがメイクアップを容易に行うためには、参照画像１０の面積Ｓ１と、スクリーン部２０の面積Ｓ２との関係が重要となる。本発明では、スクリーン部２０の面積Ｓ２は参照画像１０の面積Ｓ１に対して  ０．１  ≦  Ｓ２／Ｓ１  ≦  ５．０  を満たす範囲内で設定される。これにより、参照画像１０のうち参照したい範囲をスクリーン部２０に映し出すことができる。Ｓ２／Ｓ１が０．１未満であると、参照画像１０に対してスクリーン部２０が小さ過ぎるため、参照画像１０のうち参照したい範囲をスクリーン部２０に映し出すことができない虞がある。Ｓ２／Ｓ１が５．０を超えると、スクリーン部２０のサイズが大きくなり過ぎて嵩張るため、ユーザーがメイクアップ補助具１００を携帯して持ち運び難くなる。
【００２７】
［距離設定部］
図３は、本発明に係るメイクアップ補助具１００の使用状態の説明図である。図３は、メイクアップ補助具１００をユーザーが使用している状態をメイクアップ補助具１００の側方から見た図である。メイクアップ補助具１００は、ユーザー側からスクリーン部２０及び情報表示機器１１が配置され、スクリーン部２０と情報表示機器１１との間に両者を上部で接続する距離設定部３０が配置される。図３に示すように、距離設定部３０は、紙面左右方向（以下、「長手方向」と称する。）に延びるアーム状の離間部材であり、第１支持部３１、第２支持部３２、及び固定部３３を有する。第１支持部３１及び第２支持部３２は夫々長手方向にスライド移動可能であり、固定部３３は、第１支持部３１と第２支持部３２とを所定の位置でねじ留めすることにより固定する。すなわち、第１支持部３１、第２支持部３２、及び固定部３３により距離設定部３０の長手方向の長さを調節できる。また、使用中でない場合において、距離設定部３０の長手方向の長さを短くできるため、メイクアップ補助具１００はコンパクトな大きさに収まり、持ち運びや収納が容易となる。なお、本実施形態においては、距離設定部３０の長手方向の長さを固定部３３で固定させることで調節したが、長さの調節方法はこれに限らず、ボールねじ、ラックアンドピニオン等、その他の機構を用いた調節方法も利用できる。
【００２８】
距離設定部３０は、スクリーン部２０に着脱可能な第１取付部３４、及び情報表示機器１１に着脱可能な第２取付部３５を有する。第１取付部３４は、距離設定部３０の一端（第１支持部３１の端部）に、第２取付部３５は距離設定部３０の他端（第２支持部３２の端部）に夫々設けられている。第１取付部３４及び第２取付部３５は、両側から物体を挟み込んだ状態でそのまま把持可能なクリップ等の挟持具とすることができる。これにより、ユーザーは、必要に応じてメイクアップ補助具１００を情報表示機器１１に取り付けたり、情報表示機器１１から取り外したりすることができる。従って、ユーザーは、旅行先や外出先などで気軽にメイクアップをすることが可能となる。
【００２９】
図３に示すように、距離設定部３０は、情報表示機器１１における参照画像１０が配置されている参照画像提示位置Ｐに形成される面Ｆ１と、参照画像１０に対面するスクリーン部２０の面Ｆ２とが対向した状態で離間するように、情報表示機器１１とスクリーン部２０との距離を設定する。これにより、情報表示機器１１に表示された参照画像１０が歪むことなくスクリーン部２０の面Ｆ２に投影される。スクリーン部２０はハーフミラーで構成されているため、面Ｆ２に投影された参照画像１０はスクリーン部２０を通過してスクリーン部２０の面Ｆ２と反対側の面Ｆ３に映し出される。従って、ユーザーは参照画像１０からメイクアップのための情報を的確に享受できる。
【００３０】
第１取付部３４にスクリーン部２０が、第２取付部３５に情報表示機器１１が夫々装着された状態において、距離設定部３０は、情報表示機器１１における参照画像１０が配置されている参照画像提示位置Ｐとスクリーン部２０との光学的な距離を設定する。ここで、光学的な距離（以下、単に「距離」と称する。）とは、屈折した光路長も含む。例えば、参照画像１０とスクリーン部２０との間に鏡やレンズが配置されている場合、光学的な距離は鏡やレンズによって屈折された光路長を含む距離を示す。図３に示されている距離Ｄは、参照画像提示位置Ｐ（面Ｆ１）とスクリーン部２０の情報表示機器１１に対面する側の面Ｆ２との間の距離である。スクリーン部２０に表示された参照画像１０と、ユーザー自身の画像とを明確に視認できるようにユーザーが位置を合わせると、自然とユーザーの目の位置からスクリーン部２０に表示されたユーザー自身の画像（鏡像）、すなわちユーザーと対面する側のスクリーン部２０の面Ｆ３までの距離Ｌが距離Ｄに略一致することになる。前述のように、参照画像１０の面積Ｓ１とスクリーン部２０の面積Ｓ２との比は、０．１  ≦  Ｓ２／Ｓ１  ≦  ５．０  を満たすように設定されている。ここで、距離Ｄは、参照画像１０の面積Ｓ１に対して、０．１  ≦  Ｄ２／Ｓ１  ≦２０  を満たすように設定され、より好ましくは、０．３  ≦  Ｄ２／Ｓ１  ≦９  を満たすように設定されている。このような範囲であれば、参照画像１０のうち参照したい範囲をスクリーン部２０に映し出しながら、スクリーン部２０に表示された参照画像１０及びユーザー自身の画像は、夫々が適切なサイズ、すなわちユーザーが視認しながらメイクアップし易い大きさで重なった状態で表示される。従って、ユーザーは参照画像１０を参照しながら容易にメイクアップをすることができる。Ｄ２／Ｓ１が０．１未満であると、参照画像１０からスクリーン部２０までの距離Ｄが短くなるため、ユーザーが位置を合わせると、ユーザーの目の位置からスクリーン部２０に表示されたユーザー自身の画像までの距離Ｌも短くなり、ユーザーが参照画像１０の全体を確認しながらメイクアップし難くなる虞がある。Ｄ２／Ｓ１が２０を超えると、距離Ｄが長くなるため、ユーザーが位置を合わせると、距離Ｌも長くなり、ユーザーにとって参照画像１０が見え難くなる虞がある。
【００３１】
また、参照画像提示位置Ｐとスクリーン部２０との光学的な距離Ｄは、１０〜１８ｃｍであることが好ましい。本発明者らが試行錯誤したところ、スクリーン部２０に表示された参照画像１０と、ユーザー自身の画像とを明確に視認できるように、ユーザーが自然と位置を合わせると、ユーザーの目の位置からスクリーン部２０に表示されたユーザー自身の画像までの距離Ｌが略１０〜１８ｃｍの範囲となることが判明した。この１０〜１８ｃｍの距離Ｌは、ユーザーが自身の画像を確認し易く、かつメイクアップし易い距離であるため、メイクアップを美しく仕上げるためには、上述のとおり光学的な距離Ｄを１０〜１８ｃｍに設定することが好ましい。距離Ｄが１０ｃｍ未満である場合、ユーザー自身の画像と参照画像１０とを明確に視認できるようにユーザーが位置を合わせると、スクリーン部２０からユーザーの目の位置までの距離Ｌも１０ｃｍ未満となり、ユーザーの顔がスクリーン部２０に過剰に接近した状態となるため、スクリーン部２０が邪魔になってメイクアップし難くなる。距離Ｄが１８ｃｍを超える場合、ユーザーが位置を合わせると、スクリーン部２０からユーザーの目の位置までの距離Ｌも１８ｃｍを超えるため、ユーザーの顔がスクリーン部２０から遠く離れた状態となるため、スクリーン部２０に映し出された参照画像１０やユーザー自身の画像を確認し難くなる。
【００３２】
＜メイクアップ補助具の使用方法＞
図４は、本発明に係るメイクアップ補助具１００の使用方法の説明図である。図４（ａ）は、ユーザーが選択した参照画像１０である。図４（ｂ）は、スクリーン部２０に映し出されるユーザー自身の画像（鏡像）Ｒである。説明の便宜上、画像Ｒは破線で示す。図４（ｃ）は、図４（ａ）の参照画像１０と図４（ｂ）の画像Ｒとを重ねて表示した状態の画像である。図４（ｄ）は、調整後の参照画像１０と画像Ｒとを重ねて表示した状態の画像である。
【００３３】
ユーザーは、初めに参照画像１０を選択する。ユーザーは情報表示機器１１を操作することにより、図４（ａ）に示すように、情報表示機器１１の表示部１２に参照画像１０を表示する。次に、ユーザーがメイクアップ補助具１００のスクリーン部２０を見ると、図４（ｂ）に示すように、ユーザー自身の画像Ｒがスクリーン部２０に映し出される。図４（ｂ）に示す画像Ｒは、説明の便宜上、参照画像１０を重ねて表示していない状態であり、実際は図４（ｃ）に示すように、スクリーン部２０に参照画像１０及び画像Ｒが重ねて表示される。このとき、ユーザーは参照画像１０の目又は口の位置に画像Ｒの目又は口の位置が重なるように自分の顔の位置を位置合わせすることが好ましい。例えば、目の位置を基準に合わせると位置合わせがし易く、夫々の画像を正確に重ねて表示し易くなる。
【００３４】
また、情報表示機器１１が参照画像１０の調整機能を有する場合、参照画像１０に含まれる顔パーツ（眉や口等）の位置や長さ等の調整が可能である。例えば、図４（ｄ）に示すように、参照画像１０と画像Ｒとで眉の位置が顔の上下方向にずれている場合、ユーザーは情報表示機器１１の調整機能を利用して、参照画像１０の眉の位置を顔の上側に移動させることができる。このように、ユーザーは画像Ｒに重ねて表示された参照画像１０を参照しながらメイクアップをすることができる。なお、本実施形態においては、ユーザーは顔全体を確認しながらメイクアップをするものとしているが、アイメイク等のポイントメイクのために、メイクアップ補助具１００を使用することも可能である。この場合、参照画像１０としては、参照したい顔パーツの画像のみが映し出されても構わない。これによりユーザーは、参照したい部分のみに集中しながらメイクアップをすることができる。
【００３５】
＜別実施形態＞
（１）図５は、別実施形態（１）に係るメイクアップ補助具１０１の説明図である。図５（ａ）は、メイクアップ補助具１０１の正面図、図５（ｂ）は、情報表示機器１１の正面図、図５（ｃ）は、メイクアップ補助具１０１を装着した情報表示機器１１の正面図を夫々示す。図５（ａ）に示すように、スクリーン部２１は、第１領域２２と第２領域２３とから構成されている。第１領域２２はハーフミラーで構成され、第２領域２３はガラスやアクリル樹脂等の透明部材で構成されている。第２領域２３は光を透過することができるため、第２領域２３を通してスクリーン部２１の奥側を視認可能である。図５（ｂ）に示すように、情報表示機器１１は、表示部１２において、参照画像１０以外の部分に操作部１３が表示されている。操作部１３は、例えば、情報表示機器１１をタッチ操作するためのアイコンである。情報表示機器１１にメイクアップ補助具１０１を装着すると、図５（ｃ）に示すように、スクリーン部２１は表示部１２の全面を覆う。このとき、第２領域２３を通して操作部１３が視認可能となる。また、ハーフミラーで構成されている第１領域２２には参照画像１０及びユーザー自身の画像が映し出されるため、ユーザーは重ねて映し出された画像を確認しながら、操作部１３を操作することができる。なお、第１領域２２の位置や形状は、図５（ａ）に示す位置に限られず、例えば、左半分、下半分、中央部分等とすることもできる。
【００３６】
（２）図６は、別実施形態（２）に係るメイクアップ補助具１０２の説明図である。メイクアップ補助具１０２は、スクリーン部２０、及び距離設定部６０を備える。距離設定部６０は、概ね直方体の板状の離間部材として構成される。距離設定部６０は、情報表示機器１１を嵌め込むためのスタンド６１と、スクリーン部２０を位置決めする複数の溝６２とを有する。溝６２は、スタンド６１に対して夫々所定の間隔で互いに平行に形成されている。スタンド６１に情報表示機器１１の一部が嵌め込まれることにより、情報表示機器１１を距離設定部６０に固定することができる。同様に、溝６２にスクリーン部２０の一部が嵌め込まれることにより、スクリーン部２０を距離設定部６０に固定することができる。溝６２は複数存在するため、ユーザーがいずれの溝６２を選択するかにより、情報表示機器１１とスクリーン部２０との離間距離を使用状況に応じて設定することができる。なお、溝６２は一つのみであってもよい。この場合、情報表示機器１１とスクリーン部２０との距離が所定の距離に維持される。
【００３７】
（３）図７は、別実施形態（３）に係るメイクアップ補助具の使用例の説明図である。図７（ａ）は、遮蔽板７０を設けたスクリーン部２０を通して視認されるユーザーが選択した参照画像１０である。図７（ｂ）は、図７（ａ）のスクリーン部２０に映し出されるユーザー自身の画像Ｒである。説明の便宜上、画像Ｒは破線で示す。図７（ｃ）は、図７（ａ）の参照画像１０と図７（ｂ）の画像Ｒとを重ねて表示した状態の画像である。図７（ｄ）は、調整後の参照画像１０と画像Ｒとを重ねて表示した状態の画像である。図７（ａ）に示すように、遮蔽板７０は、透光性を有しない素材からなる平板状の部材であり、中央に窓部７１が形成されている。遮蔽板７０は、スクリーン部２０に表示される参照画像１０のうち参照したい部分以外の領域を覆う。例えば、ユーザーがアイメイクのみをしたい場合に、ユーザーが選択した参照画像１０のうち目の部分以外を覆うような遮蔽板７０が使用される。これにより、図７（ａ）に示すように、ユーザーは参照画像１０のうちメイクアップの参照にしたい部分だけを遮蔽板７０の窓部７１を通して視認できる。スクリーン部２０に映し出されるユーザー自身の画像Ｒにおいても、図７（ｂ）に示すように、目の部分だけを視認できる。参照画像１０及び画像Ｒを重ねて表示することにより、図７（ｃ）に示す画像が、また上述のように画像を調整することにより、図７（ｄ）に示す画像が視認可能となる。このため、参照されない部分、すなわち遮蔽板７０で覆われることによってユーザーから視認できない部分にずれなどがあっても、ユーザーは気にせずにメイクアップをすることができる。
【００３８】
（４）上述の実施形態においては、参照画像１０は情報表示機器１１に表示されるものであったが、写真や雑誌などのいわゆる印刷物であってもよい。ユーザーは紙などに印刷された画像も参照画像１０として利用することができるため、参照画像１０として利用できる画像の選択の幅を広げることができる。なお、ハーフミラー２０等の影によって薄暗くなり印刷物が見難くなる場合は、参照画像１０とハーフミラー２０との間に照明を設けて参照画像１０を照射するようにすれば、ユーザーは参照画像１０をより認識し易くなり、メイクアップが容易になる。ユーザーの顔に十分な光が当たっていない場合は、さらにハーフミラー２０にも照明を設けてユーザーの顔を照射するようにすれば、ユーザーは自身の顔をより詳細に認識し易くなり、メイクアップが容易になる。また、これらの照明を設けた場合、タイマー等を用いて照明光を断続的に参照画像１０又はユーザーの顔に照射可能に構成すると、参照画像１０とユーザー自身の鏡像とが交互にハーフミラー２０に表示される。これにより、ユーザーは自身の顔と参照画像１０とを交互に確認しながらメイクアップをすることができるため、より参照画像１０に近づいたメイクアップの実現が可能となる。
【００３９】
（５）上述の実施形態においては、メイクアップ補助具１００はスクリーン部２０を備えるが、これに加えて不図示の反射鏡を有していてもよい。反射鏡は、スクリーン部２０と同一平面上に配置されることが好ましい。これにより、ハーフミラーに映し出されるメイクアップ後の顔の色が多少薄くても、反射鏡に映し出された顔の色で実際のメイクアップの仕上がりを確認することができる。
【実施例】
【００４０】
本発明のメイクアップ補助具（実施例１〜４）、及び本発明の範囲外となるメイクアップ補助具（比較例１〜４）について、メイクアップ容易性及び携帯性の評価を行った。評価基準は、以下のとおりである。
〔１〕メイクアップ容易性
○：メイクアップを問題なく且つ容易に行える。
△：メイクアップを問題なく行える。
×：メイクアップし難い。
〔２〕携帯性
○：コンパクトに収納でき、化粧ポーチ（容量７５０ｍＬ）に無理なく収めることができる。
△：若干嵩張るが、化粧ポーチ（容量７５０ｍＬ）に収めることができる。
×：嵩張って、化粧ポーチ（容量７５０ｍＬ）に収めることができない。
【００４１】
〔評価結果〕
実施例及び比較例のメイクアップ補助具の評価結果を以下の表１にまとめる。なお、実施例及び比較例の参照画像及びスクリーン部は概ね矩形であるため、夫々の面積は長辺と短辺の積として求めた。
【００４２】
【表１】
2017221364.tif 000003
【００４３】
実施例１〜４のメイクアップ補助具は、メイクアップ容易性に優れており、メイクアップを美しく仕上げることができた。また、携帯性にも優れているため、気軽に持ち運ぶことができた。これに対し、比較例１〜４のメイクアップ補助具は、メイクアップを容易に行うことができないか、又は嵩張るため気軽に持ち運ぶことができなかった。
【産業上の利用可能性】
【００４４】
本発明は、ユーザーが選択した参照画像に基づいてメイクアップを支援するメイクアップ補助具として個人用又は家庭用として好適に利用されるが、店頭やネットワーク上でユーザーの好みのメイクアップに応じたメイクアップ製品を選択し推奨する業務上の目的においても利用可能である。また、本発明は、顔をメイクアップする目的として好適に利用されるが、ヘアメイク等の他の美容目的においても利用可能である。
【符号の説明】
【００４５】
１０    参照画像
１１    情報表示機器
２０    スクリーン部
２２    第一領域（ハーフミラー）
２３    第二領域（透明部材）
３０    距離設定部
３４    第１取付部
３５    第２取付部
１００  メイクアップ補助具
【図１】
2017221364.tif 000004
【図２】
2017221364.tif 000005
【図３】
2017221364.tif 000006
【図４】
2017221364.tif 000007
【図５】
2017221364.tif 000008
【図６】
2017221364.tif 000009
【図７】
2017221364.tif 000010